(57)【要約】  【課題】  本発明では、湖沼などの水辺、浅瀬に植物を植栽する場合においても効率よく植栽できる植栽用装置、及び、植栽方法の提供を目的とする。  【解決手段】  植物を植栽するための植栽用穴部２３を水底Ｂに形成して、該水底Ｂに対して立状に植栽する植栽用装置１１であって、上記水底Ｂに対して起立させて用いる筒状の植栽用管体１２を具備し、上記植栽用管体１２の下端口部１２ａから上記水底Ｂに向けて流体を噴出させて、該水底Ｂに上記植栽用穴部２３を形成すべく、上記植栽用管体１２の上端口部１２ｂに着脱可能に連結して上記植栽用管体１２の内部に該流体を供給する流体供給手段１３を具備し、上記植栽用管体１２を、上記植物が挿入可能に形成した植栽用装置１１。  【選択図】    図１
2006034259.tif 000002
【特許請求の範囲】
【請求項１】
植物を植栽するための植栽用穴部を水底に形成して、該水底に対して立状に植栽する植栽用装置であって、
上記水底に対して起立させて用いる筒状の植栽用管体を具備し、
上記植栽用管体の下端口部から上記水底に向けて流体を噴出させて、該水底に上記植栽用穴部を形成すべく、上記植栽用管体の上端口部に着脱可能に連結して上記植栽用管体の内部に圧力を付与した流体を供給する流体供給手段を具備し、
上記植栽用管体を、上記植物が挿入可能に形成した
植栽用装置。
【請求項２】
前記植栽用穴部の周縁部に当接させて、上記植栽用管体を押下させることにより上記植栽用穴部が掘り下がることを規制するストッパ部材を上記植栽用管体の外周部に具備した
請求項１に記載の植栽用装置。
【請求項３】
前記流体に、前記植物を植栽する近傍に存在する水を用いた
請求項１、又は請求項２に記載の植栽用装置。
【請求項４】
前記植栽用管体の上端口部に連結した流体供給手段により、水底に対して起立させた植栽用管体の内部に圧力を付与した流体を注入し、
該注入した流体を上記植栽用管体の下端口部から噴出させながら、上記植栽用管体を押下させて、
上記植栽用管体の下端口部と対面する水底の土砂を除去して水底に植栽用穴部を形成し、
上記植栽用管体の上端口部から上記流体供給手段を取り外すとともに、植物を挿入し、
上記植栽用穴部に支持させた後、上記植栽用管体を取り除いて植栽する
植栽方法。
【請求項５】
植物を挿入した状態の前記植栽用管体を介して、前記植栽用穴部に土砂、或いは肥料を注入する
請求項４に記載の植栽方法。
【発明の詳細な説明】
【技術分野】
【０００１】
この発明は、植物を植栽する（植え付ける）ための植栽用装置、及び、植栽方法に関し、さらに詳しくは、湖やその水辺において、ヨシなどの植物を植栽する場合に最適な植栽用装置、及び、植栽方法に関する。
【背景技術】
【０００２】
例えば、湖の水底にヨシなどの植物を植栽を植栽する作業は当然、水底に穴を掘る必要がある。ところが、ヨシの根だけでなく、茎の下部側まで埋め込む方が植栽後の植物の直立保持の観点から必要となり、例えば、全長が1ｍから１．５ｍのヨシに対して、水底に５０ｃｍ程度の深い穴を掘る必要があるといわれている。
【０００３】
つまり、ヨシは、波風に晒されても常に、直立状に植栽された状態を維持する必要があり、特に、湖の浅瀬の場合は、波によって、水底の位置が絶えず変動しているが、このような環境であっても確実に植栽された状態を維持する必要がある。
【０００４】
しかし、以上のことを考慮して水底に深い穴を掘ろうとしても、穴を掘ったと同時に穴の周辺に存在する土砂が該穴内に流入してくる。このため、掘り続けても周囲の土砂が穴内に流入し穴が埋設してしまい、ヨシを植栽するための深い穴を形成する作業は、非常に困難であり、作業効率が極端に悪かったという問題を有する。
【発明の開示】
【発明が解決しようとする課題】
【０００５】
そこで本発明では、湖沼などの水辺、浅瀬に植物を植栽する場合においても効率よく植栽できる植栽用装置、及び、植栽方法の提供を目的とする。
【課題を解決するための手段】
【０００６】
本発明の植栽用装置は、植物を植栽するための植栽用穴部を水底に形成して、該水底に対して立状に植栽する植栽用装置であって、上記水底に対して起立させて用いる筒状の植栽用管体を具備し、上記植栽用管体の下端口部から上記水底に向けて流体を噴出させて、該水底に上記植栽用穴部を形成すべく、上記植栽用管体の上端口部に連結して上記植栽用管体の内部に圧力を付与した流体を供給する流体供給手段を具備し、上記植栽用管体を、上記植物が挿入可能に形成することを特徴とする。
【０００７】
上記流体供給手段は、例えば、コンプレッサ（圧縮機）、ポンプなどを含み、上記植栽用管体を水底に向けて流体を噴出させたとき、該水底に対して上記植栽用穴部を形成可能とする所望の圧力、流量を付与できるものであればよい。
【０００８】
また、上記植栽用装置には、上記植栽用穴部の周縁部に当接させて、上記植栽用管体を押下させることにより上記植栽用穴部が掘り下がることを規制するストッパ部材を外周部に具備することが好ましい。
【０００９】
上記ストッパ部材は、上記植栽用穴部が掘り下がることを規制することができるものであれば、植栽用管体に取り付けたとき、その長さ方向における位置を調節可能に構成してもよい。例えば、植栽用管体に対して摺動可能に嵌合により取り付ける構成のもの、或いは、植栽用管体の外周部に形成した螺子部と螺合により取り付く螺子部を有した構成のものなどを含む。さらに、ストッパ部材は、合成樹脂、ゴム部材、打抜金網で形成したもの、或いは、棒状の部材をＵ字形としたもの（Ｕボルトを用いたもの）、円板状、放射状に形成したものであってもよく、その材質、形態は限定しない。
【００１０】
上記流体は、気体、又は、液体のいずれをも含み、上記流体が液体の場合、上記植物を植栽する近傍に存在する水を用いてもよい。
【００１１】
また、本発明に係る植栽方法は、上記植栽用管体の上端口部に連結した流体供給手段により、水底に対して起立させた植栽用管体の内部に圧力を付与した流体を注入し、該注入した流体を上記植栽用管体の下端口部から噴出させながら、上記植栽用管体を押下させて、上記植栽用管体の下端口部と対面する水底の土砂を除去して水底に植栽用穴部を形成し、上記植栽用管体の上端口部から上記流体供給手段を取り外すとともに、植物を挿入し、上記植栽用穴部に支持させた後、上記植栽用管体を取り除いて植栽することができる。
【００１２】
上記植栽方法は、植物を挿入した状態の上記植栽用管体を介して、上記植栽用穴部に土砂や肥料を注入してもよい。
【００１３】
また、上記植栽用管体は、塩化ビニル管、鋼管、或いは、アルミ等の金属や木材等で形成した管体などその材質は限定しない。
【発明の効果】
【００１４】
請求項１、又は、請求項４に係る発明によれば、水底における植栽用穴部を形成したい所望の箇所の近傍から直接、流体を噴出させることができる。しかも、管を下へ押すだけで掘り進めるため、正確、且つ、効率的にその箇所の土砂を除去して深い植栽用穴部を形成することができる。
【００１５】
また、植栽用装置によって形成した植栽用穴部は、たとえ深くて細い穴であっても、植栽用管体によって、植栽用穴部内に土砂が流入してくることを物理的に防ぐことができるため、一度掘った穴の深さを維持できる。そして、直立状態の植栽用管体によって植物は、規制された状態で植栽される。このように植栽された植物は、周囲を土砂等によって、直立に保持されるため、容易に植栽することができるとともに、たとえ台風などがきて暴風雨に晒されても直立した状態を保つよう植栽することができる。
【００１６】
さらに、植栽用装置は、植物を植栽する作業において必要となる植栽用穴部を形成する作業、植栽用穴部に植物の根や茎を収める作業、さらに土砂や肥料を施す作業のいずれの作業をも賄うことができる。
【００１７】
特に、上記植栽用穴部を形成する作業においては、手作業で行う必要がないため、労力も要さず、水底であっても容易に形成できる。  
植物の根を上記植栽用穴部に収める作業においても、腰を屈めて行う必要もなく、水底であっても土砂に汚れずに植栽できる。
【００１８】
請求項２に係る発明によれば、上記ストッパ部材を用いることにより、植栽用穴部の深さを所望の深さに設定することができる。このため、複数の植物を植栽する場合において、全ての植物の丈が揃った状態で植栽することも可能となる。しかも、上記ストッパ部材が水底に当接するまで植栽用管体を押し下げればよいという作業者にとっての目安になる。このため、水底が目視できない場合であっても、作業者は、余計な調節をしながら植栽する必要がなく、作業効率も向上する。
【００１９】
請求項３に係る発明によれば、身近に存在する湖沼などの流体を利用する流体源とするため、別途、流体を用意する必要がなく手軽であり、利用した流体は、再度、湖沼などに還元されるため、無制限で利用でき、効率的である。しかも、低コストで植栽することができる上、環境にも易しい。
請求項５に係る発明によれば、植物の根に向けて直接、土砂や肥料を注入できるため、効率的であり、容易に土砂などを施すことができる。さらに、植栽用穴部を形成した後、植栽用管体は、そのまま植栽用穴部に挿入したまま注入できるため、植栽用穴部を形成した後、スムーズに土砂などを施す作業に移行することができる。
【発明を実施するための最良の形態】
【００２０】
この発明の一実施形態を、以下図面を用いて説明する。  
ここでは、本実施形態に係る植栽用装置１１を用いて水深、約８０ｃｍ程度の湖の水底にヨシＡを植栽する作業を採りあげ、その方法、手順を中心に説明するが、まず、上記植栽用装置１１の構成について説明する。
【００２１】
図１に示したように、植栽用装置１１には、主に植栽用管体１２と吸水ポンプ１３とを具備している。上記植栽用管体１２は、円筒状をした合成樹脂製の管体で構成している。
【００２２】
上記植栽用管体１２の全長は、約１５０ｃｍ程度であるが、その長さは、植栽する植物の長さ、植栽する上で掘る穴の深さ、作業する上で植栽用管体１２自体の扱い易さなどに応じて、例えば、目安として８０〜１６０ｃｍ程度の間で任意に決定することができる。
【００２３】
そして、上記植栽用管体１２を水底Ｂに対して起立させたときの下端側であって、該下端側で開口している下端口部１２ａから約４０ｃｍ程度、上方に位置する外周部には、合成樹脂製の円環状をしたストッパ用板材１６を嵌合し、該ストッパ用板材１６は植栽用管体１２対して鍔状に取り付けられている。  
なお、上記ストッパ用板材１６は、植栽用管体１２の長さ方向に対して摺動させることで、取り付け位置を任意に調節することができる。
【００２４】
一方、上記植栽用管体１２の上端口部１２ｂには、該植栽用管体１２と連結するために、上記吸水ポンプ１３側から配された連結用チューブ１７の一方の端部側１７ａを、アダプタ１８を介して着脱可能に取り付けている。
【００２５】
なお、上記連結用チューブ１７の内径は、約５０ｍｍであるが、植栽用管体１２の内径に応じて設定すればよい。目安として、直径１００ｍｍの植栽用管体１２を使用する場合は、直径５０ｍｍ以上の上記連結用チューブ１７を用いるなど、連結用チューブ１７は、植栽用管体１２に対して断面積が１／４倍以上、有する太さの上記連結用チューブ１７を用いることが好ましい。
【００２６】
続いて、上記吸水ポンプ１３については、市販のエンジンポンプを用い、図２に示したように湖面上に浮遊している舟１９の上に載置している。  
なお、上記吸水ポンプ１３は、上記舟１９の上に載置するに限定せず、適宜、陸に設置して用いてもよい。
【００２７】
吸水ポンプ１３の出力側部１３ａには、上記連結用チューブ１７における上記植栽用管体１２に取り付けた側と反対側の端部１７ｂが取り付けられている。
【００２８】
一方、上記吸水ポンプ１３の入力側部１３ｂには、吸水用チューブ２１を連結し、該吸水用チューブ２１の先端側は、湖の中に垂下させている。  
本実施形態における植栽用装置１１は、上述のように構成するものとして、植栽用装置１１を用いてヨシＡを植栽する手順を以下、説明する。
【００２９】
まず、作業者（図示せず）は、植栽用管体１２を水面に対して起立させた状態に把持しながら、上記吸水ポンプ１３を稼動させると、該吸水ポンプ１３は、湖の水を吸い上げ、該吸い上げられた水は、吸水ポンプ１３内で圧縮される。このため、吸水ポンプ１３の出力側から出力した水は、圧力が付与された状態で植栽用管体１２内に供給される。
【００３０】
そして、植栽用管体１２内に供給された水は、付与された水圧を保ったまま植栽用管体１２の下端側まで達するため、勢いよく下端口部１２ａから噴き出す（図１のＡ参照）。  
ここで、目安として、植栽用管体１２の下端口部１２ａから噴出させる水量、及び、水圧について述べる。  
植栽用管体１２の内径が例えば、１０ｃｍである場合における噴出させる水量は、１分あたり約５００リットル以上が好ましく、植栽用管体１２の内径が例えば、１５ｃｍである場合における噴出させる水量は、１分あたり約１０００リットル以上が好ましい。  
このとき、上記各場合における水圧は、１ｃｍ２あたり約２．５Ｋｇ以上あれば、充分、水底を掘り下げることができる圧力を得ることができる。
【００３１】
この状態で、作業者は、植栽用管体１２を把持したまま少しずつ押し下げていく。
【００３２】
すると、図２に示したように植栽用管体１２の下端口部１２ａから水底Ｂに向けて水を噴出させることができため、水底Ｂにおける植栽用管体１２の下端口と対向する箇所の土砂を除去し、掘り下げることができる。
【００３３】
そして、図３（ａ）に示したように、植栽用穴部２３を掘り下げていくと約４０ｃｍ程度に達したところで、図３（ｂ）に示したように、上記ストッパ用板材１６の下面が該植栽用穴部２３の周縁部に当接する。
【００３４】
このように、ストッパ用板材１６は、植栽用管体１２がこれ以上、下方向に移動することを規制することができる。そして、作業者自身も、ストッパ用板材１６が水底Ｂに当接したことを感知し、植栽用管体１２をそれ以上、押し下げることを止める。
【００３５】
植栽用管体１２の押し下げを停止させても、既に植栽用管体１２内の土砂は排出されてしまった状態であるので、最終的に植栽用穴部２３は、４０ｃｍから５０ｃｍ程度の深さに形成することができる。
【００３６】
次に、作業者は、植栽用管体１２の上端口部１２ｂに連結しているアダプタ１８を取り外す。  
なお、ストッパ用板材１６が植栽用管体１２を直立状態に支持しているため、作業者が植栽用管体１２を把持し続けなくても該直立状態を維持でき、アダプタ１８を容易に植栽用管体１２の上端口部１２ｂから取り外すことができる。
【００３７】
上述したように、アダプタ１８を取り外すことで、植栽用管体１２内には、水が供給されないため、植栽用管体１２の下端部からの水の噴出が停止する。そして、図４に示したように、作業者は、上記植栽用管体１２の下端部をそのまま植栽用穴部２３に差し込んだまま、植栽用管体１２の上端口部１２ｂからヨシＡをその根部側を下にして挿入する。
【００３８】
上記ヨシＡが植栽用管体１２内を下降するとき、その外周全体には植栽用管体１２の壁面が存在する状態となる。このため、ヨシＡが倒伏してしまうことを規制でき、直立状態のままヨシＡの根部を植栽用穴部２３内に導くことができる。それとともに、ヨシＡは植栽用管体１２によって保護されるため、下降する途中で水草など水中に存在する他の外的要因に阻害されないため、傷つくこともなく、スムーズに下降させることができる。
【００３９】
続いて、作業者は、図５に示したように植栽用管体１２の上端口部１２ｂから適宜、土砂や肥料Ｃを少しずつ注入する。
【００４０】
植栽用管体１２内に注入された土砂や肥料Ｃは、植栽用管体１２の内壁面とヨシＡとの間を摺り抜けながら植栽用管体１２内を通過した後、確実に植栽用穴部２３内に充填される。そして、図６に示したように、植栽用管体１２を植栽用穴部２３から抜き取り、さらにヨシＡに対しても植栽用管体１２を上方に持ち上げることで、ヨシＡから抜き取ることができ、図７に示したようにヨシＡの植栽を完了する。
【００４１】
以上により、水底Ｂに対してヨシＡを直立状態に維持しつつ、ヨシＡの根部、及び、下部側の茎部を水面に埋設させることができる。
【００４２】
上述した、本実施形態に係る植栽用装置１１、及び、本実施形態に係る植栽方法により以下のような効果を奏することができる。
【００４３】
従来ではスコップなどの道具を用いて水底に深い穴を掘ることは、土砂が穴内に流入してくるため、非常に困難であった。しかも、スコップなどでは水底に深くて細径の穴を掘ることは困難であった。ところが、本実施形態に係る植栽用装置１１、及び、本実施形態に係る植栽方法を適用すれば、水底における植栽用穴部を形成したい所望の箇所の近傍から直接、流体を噴出させることができる。しかも、管を下へ押すだけで掘り進めるため、正確、且つ、効率的にその箇所の土砂を除去して深い植栽用穴部を形成することができる。
【００４４】
すなわち、ヨシの植栽に最適な深くて細い径の穴を容易に形成することができる。
【００４５】
また、作業者は、上述した一連の作業において、腰を屈めたり伸ばしたりする必要もないため、労力を要さず、例えば、長靴、ウェーダー（防水ズボン）などを着用してさえいれば、全身が汚れることもない。
【００４６】
また、本実施形態のように、作業者自身が上記舟１９などに載りながらでも植栽することができ、この場合においても、全身が汚れることがなく、水の事故に対しても安全である。
【００４７】
さらに、植栽用管体１２自体が軽量であり、吸水ポンプ１３は舟１９の上に載置しているため、植栽しながらの移動も容易に行える。
また、植栽用装置１１は、植物を植栽する作業において必要となる植栽用穴部２３を形成する作業、植栽用穴部２３に植物の根を収める作業、さらに土砂や肥料を施す作業のいずれの作業も賄うことができる。
【００４８】
加えて、植栽用装置１１は、身近に存在する湖沼などの流体を利用することができるため、別途、流体を用意する必要がなく手軽であり、利用した流体は、再度、湖沼などに還元されるため、無制限で利用でき、効率的である。さらに、低コストで植栽することができる上、環境にも易しい。
【００４９】
また、吸水ポンプ１３から出力した水が植栽用管体１２の下端口部１２ａから噴出するまでの間の距離が長くても、その間を通過する水は植栽用管体１２、及び、連結用チューブ１７により閉塞された状態である。このため、吸水ポンプ１３で付与された水圧が外的要因により途中で減衰することはなく、効率的に水を噴出させることができる。
【００５０】
さらに、上記植栽用装置１１を用いれば、スコップなどでは、形成しにくい形態の植栽用穴部２３を形成できる。つまり、吸水ポンプ１３によって流体に付与する圧力や植栽用管体１２の径を変更することによって、さらに細くて深い形態とするなど所望の形態の植栽用穴部２３を形成できる。
【００５１】
このため、互いに隣接した状態に複数のヨシＡを群生させる場合であっても、容易に植栽できる。しかも、ヨシＡが混在しあっている狭い場所においても、周辺のヨシＡが倒伏してしまうことなく、容易に植栽することができる。
【００５２】
また、ヨシＡを植栽用管体１２内に挿入する作業、或いは、ヨシＡから植栽用管体１２を抜き取る作業のいずれの場合において、植栽用管体１２の内周面とヨシＡとが互いに摺動する場合にも、これにより生じる摩擦力は、ヨシＡの茎から葉が生える向きと同じ方向に作用する。このため、ヨシＡを痛めることがない。
【００５３】
以上、本実施形態に係る植栽用装置１１、及び、本実施形態に係る植栽方法を説明したが、本発明に係る植栽用装置１１、及び、本発明に係る植栽方法は、上述したものに限定せず、植栽する植物、或いは周囲の環境などに応じて適宜、植栽する方法、手順を変更することができる。
【００５４】
例えば、上述した植栽方法においては、植栽用管体１２内に土砂や肥料Ｃなどを注入したが、このように土砂や肥料Ｃを注入することは必須ではなく、必要に応じて適宜、注入すればよい。すなわち、水底Ｂの土質によっては、植栽用管体１２を植栽用穴部２３から抜き取った瞬間に、植栽用穴部２３の周辺に存在する土砂が徐々に植栽用穴部２３内に流入して充填される。このような場合には、改めて土砂や肥料Ｃを注入しなくてもよく、充分、ヨシＡを起立状態に植栽できる。
【００５５】
さらに例えば、水底の土質が植栽用管体１２を植栽用穴部２３から抜き取っても、土砂が植栽用穴部２３内に流入してこない土質であれば、植栽用管体１２を抜き取った状態の植栽用穴部２３内にヨシＡの根部、及び茎部を挿入し、手や足で土砂などを植栽用穴部２３内に流入させて植栽しもよい。
【００５６】
勿論、本実施形態のように、水底Ｂに植栽する場合、作業者自身が上記舟１９に吸水ポンプ１３を載置した状態で植栽してもよいが、直接、陸地に吸水ポンプ１３を設置して上記連結用チューブ１７を水底Ｂの植栽する場所まで配して植栽してもよい。
【００５７】
また、上記植栽用装置１１、及び、上記植栽方法は、勿論、湖に限定せず、沼、池、河川、海などでも適用でき、さらに、水中に限らず、例えば、湖岸などの水辺においてヨシＡなどを植栽してもよい。
【００５８】
このような水辺で植栽用装置１１を用いる場合は、必ずしも、上述と同様に植栽用管体１２の下端部から水を噴出させて積極的に植栽用穴部２３を形成しなくても、例えば、もともと柔らかい地面をさらに液状化させて植栽してもよい。これにより、液状とした箇所にヨシＡなどの根を容易に植栽できる。
【００５９】
また、植栽する植物は、上述したヨシＡ（、或いは葦）に限らず、他にも稲、海草（海藻も含む）なども含み、特に対象とする植物は限定しない。
【００６０】
また、他の実施形態として上記植栽用管体１２は、その長さを可変可能に構成してもよい。具体的には、上記植栽用管体１２を長さ方向について複数の部材に分割した構成とし、その端部どうしを互いに螺合したり、嵌合したりして連結可能に結合して用いる構成としてもよい。その他、アンテナや釣竿のように伸縮自在な構成としてもよい。
【００６１】
上記構成を採用すれば、水深や、植栽する植物の高さなどに応じて、適宜、最も植栽し易い長さに構成して用いることができる。
【００６２】
さらに、図８に示したように、植栽用管体２５は長さ方向における下部側を除いた部位を該下部側部位に対して大径に形成してもよい。
【００６３】
この構成を採れば、植栽用管体２５の上端口部１２ｂから土砂や肥料Ｃを注入したとき、該土砂や肥料Ｃをよりスムーズに下部側まで落下させることができる。  
しかも、下部側の径は小径であるため、該下端口部１２ａにおいて流体は、圧縮され、勢いよく噴出させることができる。
【００６４】
さらに、上記ストッパ用板材１６により植栽用穴部２３の深さを設定したが、植栽用穴部２３の深さを設定する構成は、上記ストッパ用板材１６の構成に限定せず、例えば、図９（ａ）に示したように、植栽用管体１２の上部側の外周面に印３１を付したものでもよい。
【００６５】
例えば、水底が脆弱な土質の場合には、上記ストッパ用板材１６では、水底に当接させたとき、沈み込んでしまうなどして正確な深さが感知できない場合もある。しかし、上部側の外周面に印３１を付した上記植栽用管体１２を用いれば、印３１は、下方向に水面に対して該印３１が一致するまで、植栽用管体１２を押し下げればよいという目印となる。このため、この構成においても植栽用穴部２３を所望の深さに設定することができる。
【００６６】
その他、図９（ｂ）に示したように、植栽用管体１２の外周側に、先端部に浮３２を具備した紐状体３３を連結した構成としてもよい。
【００６７】
上記構成を採る場合、紐状体３３を伸縮自在に調節可能とし、伸縮させることで植栽用穴部２３の深さを任意に調節してもよい。
【００６８】
さらに、上記構成を採れば、水底の土質に左右されず、任意に形成したい植栽用穴部２３の深さを設定できる。しかも、水中において、植栽用管体１２の持ち運びも容易になる。
【００６９】
さらに、例えば、連結用チューブ１７における植栽用管体１２と連結した端部側１７ａには、図１０（ａ）に示したように分岐バルブ３１（切替えバルブ）を介在させて形成してもよい。
【００７０】
上記構成を採れば、作業者は、植栽している際に、例えば、植栽用穴部２３を所望の深さまで形成したときなど、水の流出を停止させたいときに、いちいち吸水ポンプ１３まで、近づいて吸水ポンプ１３の動力（駆動源）のＯＮ／ＯＦＦ操作を行う必要もなく、常時、吸水ポンプ１３の近傍に別の作業者を待機させる必要もない。
【００７１】
さらに、例えば、連結用チューブ１７における吸水ポンプ１３側へと連結した端部側１７ｂに、図１０（ｂ）に示したように分岐バルブ３１（切替えバルブ）を介在させて形成してもよい。
【００７２】
上記構成を採れば、吸水ポンプ１３側にも作業者を待機させておく必要があるが、本実施形態のように吸水ポンプ１３にエンジンポンプを用いた場合、いちいちエンジンポンプを駆動させたり、停止させたりしなくても分岐バルブ３１のレバー操作により容易に流量を調節できる。
【００７３】
つまり、植栽を行う作用者自身の判断に基づいて、容易に水の流出を停止させることができるため、作業効率が格段に向上する。
【００７４】
ちなみに、図１０（ａ）、（ｂ）に示した分岐バルブ３１の構成は、図１０（ｃ）に示したように流体が通過する箱体３２を具備し、該箱体３２内に流入してきた流体をそのまま植栽用管体１２側へ通過させる、或いは、連結用チューブ１７の外側へ流出させるかを適宜、調節可能なレバー３３を具備している。  
具体的な構成は、上記レバー３３は、箱体３２の外側に具備し、該レバー３３を傾倒させたときは、それに連動して箱体３２内に有する軸が回動し、該軸に一体に取り付いている蓋板３４も回動するため、箱体３２の一側面に形成した流出穴部３５を閉塞する（図１０の拡大図の仮想線で示した側参照）。  
このときは、該箱体３２内に流入してきた流体をそのまま植栽用管体１２側へ通過させることができる。
【００７５】
これに対して、レバー３３を起立させたときは、それに連動して上記蓋板３４が箱体３２内に流入してきた流体が植栽用管体１２側へ通過することを遮断するため、流体を、流出穴部３５から外部に流出させることができる（図１０の拡大図の実線で示した側参照）。
【００７６】
なお、上記分岐バルブ３１は、勿論、市販の分岐バルブを用いてもよく、また、植栽用管体１２自体に、分岐可能な構成を具備してもよい。
【００７７】
上述の実施形態と、この発明の構成との対応において、この実施形態の吸水ポンプ１３は、この発明の流体供給手段に対応し、以下、同様に
ストッパ用板材は、ストッパ部材に対応し、
ヨシは、植物に対応するも、この発明は、上述の実施形態の構成のみに限定されるものではなく、多くの実施の形態を得ることができる。
【図面の簡単な説明】
【００７８】
【図１】植栽用穴部を形成する直前の状態における植栽用装置の使用状態図。
【図２】植栽用穴部を形成している様子を断面で示した説明図。
【図３】植栽用穴部を形成する過程を拡大断面で示した説明図（ａ）、植栽用穴部を形成直後の様子を拡大断面で示した説明図（ｂ）。
【図４】ヨシを植栽用管体内に挿入する直前の様子を表す説明図。
【図５】土砂等を植栽用管体内に注入する様子を表す説明図。
【図６】ヨシから植栽用管体を抜き取る過程を示す説明図。
【図７】水底にヨシを植栽した様子を示す説明図。
【図８】他の植栽用管体を一部断面で示した正面図。
【図９】さらに他の植栽用管体を一部断面で示した正面図。
【図１０】他の植栽用管体を一部断面で示した部分拡大図。
【符号の説明】
【００７９】
１１…植栽用装置
１２…植栽用管体
１３…吸水ポンプ
１２ａ…下端口部
１２ｂ…上端口部
１６…ストッパ用板材
【図１】
2006034259.tif 000003
【図２】
2006034259.tif 000004
【図３】
2006034259.tif 000005
【図４】
2006034259.tif 000006
【図５】
2006034259.tif 000007
【図６】
2006034259.tif 000008
【図７】
2006034259.tif 000009
【図８】
2006034259.tif 000010
【図９】
2006034259.tif 000011
【図１０】
2006034259.tif 000012